(57)【特許請求の範囲】
【請求項１】
一平面内で広がって、当該一平面内で第１直線に接する一短辺、および、当該一平面内で当該第１直線に直交する第２直線に接する一長辺を規定する一葉の薄板本体と、前記薄板本体の前記一短辺に連続し、前記第２直線から外側に向かって前記第１直線に沿って延び、前記第１直線回りで、前記一平面に沿って広がる面内姿勢から、前記一平面に直交する起立姿勢まで屈折する補助薄板とを備えることを特徴とするしおり。
【請求項２】
請求項１に記載のしおりにおいて、前記補助薄板は、前記第２直線から外側に所定の距離で離れつつ前記補助薄板を横切る第３直線、および、前記薄板本体の間で広がる第１板片と、前記薄板本体から遠ざかる方向に前記第３直線から広がり、前記補助薄板が前記起立姿勢を確立する際に前記第３直線回りで前記薄板本体に向かって所定の屈折角で屈折する第２板片とを備えることを特徴とするしおり。
【請求項３】
本棚としおりとを備え、前記しおりは、一平面内で広がって、当該一平面内で第１直線に接する一短辺、および、当該一平面内で当該第１直線に直交する第２直線に接する一長辺を規定する一葉の薄板本体と、前記薄板本体の前記一短辺に連続し、前記第２直線から外側に向かって前記第１直線に沿って延び、前記第１直線回りで、前記一平面に沿って広がる面内姿勢から、前記一平面に直交する起立姿勢まで屈折する補助薄板とを備えることを特徴とする本棚システム。
【発明の詳細な説明】
【技術分野】
【０００１】
本発明はしおりおよび本棚システムに関する。
【背景技術】
【０００２】
一般に本棚は水平方向に広がる複数枚の棚板を有する。棚板同士の間に縦置きの書籍が水平方向に並べられる。棚板同士の間隔が狭められると、本棚の高さは抑えられることができる。しかしながら、棚板同士の間隔が狭められると、書籍の取り出しにあたって作業者は書籍の背表紙を手前に倒すことができない。書籍の取り出しに手間がかかってしまう。例えば特許文献２では書籍の背表紙にフックが配置される。
【先行技術文献】
【特許文献】
【０００３】
【特許文献１】特開２００３−１４５９６０号公報
【特許文献２】実用新案登録第３１１０５９９号公報
【特許文献３】特開２００７−１５２５９３号公報
【発明の概要】
【発明が解決しようとする課題】
【０００４】
特許文献２に記載されるように、フックが背表紙の上端に配置されると、結局のところ、作業者の手前に引く力に応じて書籍の背表紙は手前に倒れてしまう。倒れる途中で書籍は上側の棚板に衝突してしまう。そのまま書籍が取り出されることはできない。書籍の取り出しにあたって手間が解消されるわけではない。
【０００５】
本発明は、上記実状に鑑みてなされたもので、簡単な構造で確実に書籍の取り出しの容易化に寄与することができるしおりを提供することを目的とする。
【課題を解決するための手段】
【０００６】
上記目的を達成するために、本発明の第１側面によれば、一平面内で広がって、当該一平面内で第１直線に接する一短辺、および、当該一平面内で当該第１直線に直交する第２直線に接する一長辺を規定する一葉の薄板本体と、前記薄板本体の前記一短辺に連続し、前記第２直線から外側に向かって前記第１直線に沿って延び、前記第１直線回りで、前記一平面に沿って広がる面内姿勢から、前記一平面に直交する起立姿勢まで屈折する補助薄板とを備えることを特徴とするしおりが提供される。
【０００７】
こういったしおりによれば、補助薄板が面内姿勢に位置すると、しおり全体は一平面内で広がる。しおりは書籍に挟まれることができる。しおりはしおり固有の機能を発揮する。その一方で、薄板本体が書籍に挟まれると同時に、頁の外側で補助薄板が起立姿勢に位置すると、補助薄板は書籍の背表紙の下端で背表紙から突き出ることができる。書籍は本棚に収納されることができる。作業者が補助薄板を手前に引くと、書籍は棚板の表面をスライドする。こうして書籍は簡単に本棚から引き出されることができる。背表紙の下端回りで書籍の回転動作は回避されることができる。したがって、本棚の収納空間の高さは低く押さえ込まれることができる。
【０００８】
補助薄板は、前記第２直線から外側に所定の距離で離れつつ前記補助薄板を横切る第３直線、および、前記薄板本体の間で広がる第１板片と、前記薄板本体から遠ざかる方向に前記第３直線から広がり、前記補助薄板が前記起立姿勢を確立する際に前記第３直線回りで前記薄板本体に向かって所定の屈折角で屈折する第２板片とを備えてもよい。書籍が本棚に収納された際に、第２板片は棚板の表面で起立することができる。書籍の取り出しにあたって作業者は簡単に補助薄板を摘むことができる。書籍は簡単に本棚から取り出されることができる。
【０００９】
本発明の第２側面によれば、本棚としおりとを備え、前記しおりは、一平面内で広がって、当該一平面内で第１直線に接する一短辺、および、当該一平面内で当該第１直線に直交する第２直線に接する一長辺を規定する一葉の薄板本体と、前記薄板本体の前記一短辺に連続し、前記第２直線から外側に向かって前記第１直線に沿って延び、前記第１直線回りで、前記一平面に沿って広がる面内姿勢から、前記一平面に直交する起立姿勢まで屈折する補助薄板とを備えることを特徴とする本棚システムが提供される。前述と同様に、こういった本棚システムは本棚の収納空間の縮小に寄与することができる。しかも、前述と同様に、書籍の取り出しの容易性は確保されることができる。
【発明の効果】
【００１０】
以上のように本発明によれば、簡単な構造で確実に書籍の取り出しの容易化に寄与することができるしおりは提供される。
【図面の簡単な説明】
【００１１】
【図１】本発明の第１実施形態に係るしおりの平面図である。
【図２】しおりの側面図である。
【図３】補助薄板の側面図である。
【図４】しおりの斜視図である。
【図５】しおりの動作を概略的に示す書籍の斜視図である。
【図６】本棚の斜視図である。
【図７】しおりの動作を概略的に示す書籍の斜視図である。
【図８】書籍が閉じられた際にしおりの動作を概略的に示す書籍の斜視図である。
【図９】書籍が本棚に収納された際にしおりの姿勢を概略的に示す書籍の斜視図である。
【図１０】本棚から書籍が引き出される様子を概略的に示す本棚の側面透視図である。
【図１１】しおりの製造にあたって利用される素材の平面図である。
【図１２】本発明の第２実施形態に係るしおりの平面図である。
【図１３】本発明の第３実施形態に係るしおりの平面図である。
【図１４】本発明の第４実施形態に係るしおりの平面図である。
【図１５】本発明の第５実施形態に係るしおりの平面図である。
【図１６】他の具体例に係る本棚の斜視図である。
【図１７】他の具体例に係る本棚の使用例を示す斜視図である。
【図１８】さらに他の具体例に係る本棚の使用例を示す斜視図である。
【図１９】さらに他の具体例に係る本棚の他の使用例を示す斜視図である。
【発明を実施するための形態】
【００１２】
以下、添付図面を参照しつつ本発明の一実施形態を説明する。
【００１３】
図１は第１実施形態に係るしおりの平面図を示す。しおり１１は１枚の薄板から形成される。しおり１１の素材には紙や樹脂薄板、金属薄板が用いられる。しおり１１は薄板本体１２を備える。薄板本体１２は一平面内で広がる。平面内には相互に平行に延びる第１仮想直線１３および第２仮想直線１４が規定される。薄板本体１２は第１仮想直線１３および第２仮想直線１４の内側で広がる。ここでは、薄板本体１２の輪郭は例えば縦長の長方形に規定される。長方形の一方の長辺（以下「第１長辺」）１５ａは一平面内で第１仮想直線１３に接する。長方形の他方の長辺（以下「第２長辺」）１５ｂは一平面内で第２仮想直線１４に接する。長方形の一方の短辺（以下「第１短辺」）１６は一平面内で第３仮想直線１７に接する。第３仮想直線１７は第１仮想直線１３および第２仮想直線１４に直交する。
【００１４】
薄板本体１２には長方形の第１短辺１６で補助薄板２１が接続される。この補助薄板２１は薄板本体１２に連続する。すなわち、薄板本体１２に一体化される。補助薄板２１は第１仮想直線１３および第２仮想直線１４の間の領域から第１仮想直線１３の外側に向かって第３仮想直線１７に沿って延びる。ここでは、補助薄板２１の輪郭は横長の長方形に規定される。長方形の一方の短辺（以下「第１短辺」）２２は薄板本体１２の第２長辺１５ｂに連続する。すなわち、補助薄板２１の第１短辺２２と薄板本体１２の第２長辺１５ｂとは第２仮想直線１４上に規定される。ただし、補助薄板２１の第１短辺２２と薄板本体１２の第２長辺１５ｂとは必ずしも１直線上に規定される必要はない。補助薄板２１は第３仮想直線１７に直交する方向に所定の幅Ｗを有する。補助薄板２１の幅Ｗは、想定される書籍の厚みよりも小さく設定される。補助薄板２１の長辺の長さＬは薄板本体１２の短辺の長さＳの２倍に設定されることが望まれる。
【００１５】
しおり１１の表面で薄板本体１２と補助薄板２１との境界線上すなわち第３仮想直線１７上には第１谷折り線２３が規定される。同時に、しおり１１の表面で補助薄板２１には第１仮想直線１３に平行に補助薄板２１を横切る第２谷折り線２４が規定される。第１谷折り線２３は、例えば図２に示されるように、薄板本体１２の第１短辺１６上に延びる長尺の窪み（例えばＶ字溝）２３ａで形成される。こういった窪み２３ａは例えばしおり１１の素材の押し潰しに基づき形成されればよい。第２谷折り線２４は、図３に示されるように、第１谷折り線２３と同様に長尺の窪み２４ａで形成される。第２谷折り線２４に基づき、補助薄板２１は、第１谷折り線２３および第２谷折り線２４の間に広がる第１板片２１ａと、第１谷折り線２３から遠ざかる方向に第２谷折り線２４から広がる第２板片２１ｂとに区分けされる。
【００１６】
図４に示されるように、補助薄板２１は薄板本体１２に対して第１谷折り線２３で屈折することができる。補助薄板２１は、第３仮想直線１７回りで、薄板本体１２の表面を含む仮想平面内で広がる面内姿勢と、当該仮想平面に直交する起立姿勢との間で姿勢を変化させることができる。同様に、補助薄板２１の第２板片２１ｂは第１板片２１ａに対して第２谷折り線２４で屈折することができる。ここでは、第２板片２１ｂは、第１仮想直線の外側で第１仮想直線１３に平行な仮想平面内で延びる第４仮想直線２５回りで、第１板片２１ａの表面を含む仮想平面内で広がる面内姿勢と、当該仮想平面から所定の角度αで起立する起立姿勢との間で姿勢を変化させることができる。第２板片２１ｂの起立姿勢の確立にあたって所定の角度αは例えば任意の鋭角に設定されればよい。
【００１７】
次にしおり１１の動作を簡単に説明する。まず、補助薄板２１は薄板本体１２に対して面内姿勢に設定される。同時に、補助薄板２１の第２板片２１ｂは第１板片２１ａに対して面内姿勢に設定される。すなわち、しおり１１全体は一平面内で広がる。図５に示されるように、しおり１１は書籍２７の一頁の表面に置かれる。このとき、薄板本体１２の第２長辺１５ｂは紙葉の綴じ込み端２７ａに挟み入れられる。したがって、補助薄板２１の長辺の長さＬは書籍２７の横幅よりも短く設定されればよい。書籍２７が閉じられると、しおり１１の機能は実現される。
【００１８】
次に書籍２７が本棚に収納される場面を想定する。図６は本棚２８の構造を概略的に示す。本棚２８は例えば箱形の外枠２９を備える。外枠２９は１対の側板３１ａ、３１ｂを備える。側板３１ａ、３１ｂは垂直方向すなわち重力方向に直立する。側板３１ａ、３１ｂ同士は相互に平行に広がる。ここでは、側板３１ａ、３１ｂは例えば床面から直立する。側板３１ａ、３１ｂ同士は、相互に平行に水平方向に広がる上板３２および底板３３で相互に結合される。こうして側板３１ａ、３１ｂ、上板３２および下板３３の間には直方体の収容空間が区画される。収容空間の背面は背板（図示されず）で閉じられればよい。収容空間には例えば１枚以上の棚板３４が例えば取り外し自在に設置される。棚板３４は例えば上板３２および下板３３に平行に広がる。上板３２と棚板３４との間、棚板３４同士の間、および、棚板３４と下板３３との間には書籍２７の収納空間が区画される。個々の収納空間に縦置きの書籍２７が水平方向に１列に並べられる。
【００１９】
図７に示されるように、書籍２７の収納にあたってしおり１１は書籍２７の一頁の表面に置かれる。このとき、薄板本体１２の第１短辺１６は一頁の下端２７ｂに合わせ込まれる。同時に、薄板本体１２の第１長辺１５ａは紙葉の綴じ込み端２７ａに挟み入れられる。紙葉の綴じ込み端２７ａと頁の下端２７ｂとは相互に直交することから、挟み入れに応じて薄板本体１２の第１短辺１６は確実に頁の下端２７ｂ上に一致することができる。ただし、書籍２７の体裁に基づき頁の下端２７ｂと背表紙の下端との間に段差が生じる場合には、薄板本体の第１短辺１６は段差の大きさに応じて頁の下端２７ｂからずらされてもよい。この場合でも、薄板本体１２の第１短辺１６は頁の下端２７ｂとの間で平行関係を維持することができる。
【００２０】
図８に示されるように、書籍２７は閉じられる。補助薄板２１は面内姿勢から起立姿勢に折り曲げられる。こういった折り曲げは、書籍２７が閉じられる以前に実施されてもよく、書籍２７が閉じられた後に実施されてもよい。このとき、補助薄板２１の広がりは、書籍２７の表紙を含む平面、および、書籍２７の裏表紙を含む平面の間の空間に収まる。補助薄板２１では第２板片２１ｂは第１板片２１ａに対して起立姿勢に設定される。書籍２７は収納空間に押し込まれる。書籍２７は棚板３４または下板３３の表面に沿ってスライドすればよい。こうして書籍２７は本棚２８に収納される。このとき、図９に示されるように、背表紙から外側すなわち手前に補助薄板２１は突き出る。補助薄板２１の第２板片２１ｂは棚板３４または下板３３の表面から鋭角で起立する。しおり１１および本棚２８は本発明に係る本棚システムを構成する。
【００２１】
次に書籍２７が本棚２８から取り出される場面を想定する。図１０に示されるように、補助薄板２１は作業者の指先で摘まれる。補助薄板２１が手前に引き出されると、書籍２７は簡単に棚板３４または下板３３の表面に沿ってスライドする。背表紙が手前に倒れることなく書籍２７は引き出されることができる。したがって、収納空間の高さＨは書籍２７の高さに限りなく近づけられることができる。収納空間の高さＨは最小値に設定されることができる。上側の棚板３４の下面と背表紙の上端との間には指先の進入を受け入れる空間さえ要求されない。しかも、補助薄板２１の第２板片２１ｂは棚板３４または下板３３の表面から鋭角で起立することから、作業者は簡単に補助薄板２１を摘むことができる。書籍２７の取り出しは一層簡易化されることができる。
【００２２】
その一方で、書籍２７の背表紙の上端に作業者の引く力が作用する場面を想定する。図１０に示されるように、引く力に応じて書籍２７の背表紙は背表紙の下端回りで手前に倒れる。したがって、収納空間の高さｈは書籍２７の（表紙の）対角線の長さに設定されなければならない。上側の棚板３４の下面と書籍２７の上端との間には余分な空間が要求されてしまう。
【００２３】
【表１】
0005420337.tif 000002
表１に示されるように、一般に、書籍２７の大きさは統一化される。こういった統一化は書籍２７の製作にあたって用紙の無駄の回避に寄与する。表１から明らかなように、書籍２７の高さ（縦寸法）で単純に収納空間の高さＨが決定されれば、従来のように対角線の長さで収納空間の高さｈが決定される場合に比べて、書籍の大きさに応じて２．８［ｃｍ］〜６．７［ｃｍ］の縮小が見込まれる。その結果、例えばＢ６判の書籍専用の収納空間であれば、本実施形態に係る収納空間が６段に重ねられると、従来の収納空間が５段に重ねられる場合に比べても本棚の高さは低く押さえ込まれることができる。従来に比べて書籍の収納密度は確実に高められることができる。
【００２４】
前述のしおり１１の製造にあたって、例えば図１１に示されるように、１枚の長方形の素材３６が用いられることができる。前述のように、補助薄板２１の長辺の長さＬが薄板本体１２の短辺の長さＳの２倍に設定されれば、２枚のしおり１１は１枚の長方形の素材３６から無駄なく切り出されることができる。長方形の素材３６は切断線３７に沿って切り分けられればよい。ただし、補助薄板２１の長辺の長さＬは薄板本体１２の短辺の長さＳの２倍よりも短く設定されてもよい。長方形の素材３６はいずれかの方向に連続してもよい。長方形の素材３６には裁断と同時に谷折り線２３、２４が刻まれればよい。
【００２５】
補助薄板２１は面内姿勢から起立姿勢に向かって所定の傾斜角で折り癖が付与されることが望まれる。傾斜角は面内姿勢と起立姿勢との間で鋭角を形成すればよい。傾斜角は９０度に設定されることが望まれる。こういった折り癖によれば、前述のように書籍２７の収納にあたって薄板本体１２の第１短辺１６が頁の下端２７ｂに合わせ込まれると、補助薄板２１は自動的に面内姿勢から起立姿勢に変化する。したがって、書籍２７の収納にあたって補助薄板２１は棚板３４または下板３３の表面に平行に広がることができる。収納空間に対して書籍２７の進入は妨げられない。補助薄板２１の突き出しにも拘わらず書籍２７の収納作業の手間は軽減される。
【００２６】
図１２は第２実施形態に係るしおり１１ａを示す。このしおり１１ａでは、第２谷折り線２４は例えば第１仮想直線１３に所定の傾斜角βで傾斜する。こうした第２谷折り線２４によれば、第２板片２１ｂは、起立姿勢の確立時に補助薄板２１の長手方向中心線回りで傾斜する。第２板片２１ｂは一層容易く摘まれることができる。前述の第１実施形態と均等な構成には同一の参照符号が付される。
【００２７】
図１３は第３実施形態に係るしおり１１ｂを示す。このしおり１１ｂでは、薄板本体１２と補助薄板２１との境界線上に開口３９が形成される。こういった開口３９は例えばしおり１１ｂに模様を提供することができる。しかも、こういった開口３９の働きで第１谷折り線２３の長さは調整されることができる。第１谷折り線２３でしおり１１ｂの折れ具合は調整されることができる。前述の第１実施形態と均等な構成には同一の参照符号が付される。
【００２８】
図１４は第４実施形態に係るしおり１１ｃを示す。このしおり１１ｃでは、薄板本体１２の第２長辺１５ｂは例えば波線や曲線で規定される。こういった第２長辺１５ｂによれば、薄板本体１２すなわちしおり１１ｃに様々な形状が与えられることができる。しおり１１ｃのデザイン性は向上する。その他、薄板本体１２の第２長辺１５ｂには切り欠きその他の模様が刻まれてもよい。前述の第１実施形態と均等な構成には同一の参照符号が付される。
【００２９】
図１５は第５実施形態に係るしおり１１ｄを示す。このしおり１１ｄでは、薄板本体１２の第１長辺１５ａには切り欠き４１が刻まれる。ただし、第１長辺１５ａは第１仮想直線１３と第２仮想直線１４との間で規定されることが望まれる。すなわち、第１長辺１５ａは第１仮想直線１３の内側に規定されることが望まれる。しかも、第１長辺１５ａは少なくとも２点で第１仮想直線１３に接することが望まれる。２点間には十分な距離が確保されることが望まれる。こういった第１長辺１５ａによれば、第１長辺１５ａと第１短辺１６との間で直交関係は確実に維持されることができる。前述のように第１長辺１５ａが紙葉の綴じ込み端２７ａに挟み入れられると、挟み入れに応じて第１短辺１６は確実に頁の下端２７ｂ上に一致することができる。前述の第１実施形態と均等な構成には同一の参照符号が付される。
【００３０】
図１６は他の具体例に係る本棚２８ａの構造を概略的に示す。本棚２８ａは箱形に構成される。すなわち、本棚２８ａは１対の側板４２ａ、４２ｂを備える。側板４２ａ、４２ｂは垂直方向すなわち重力方向に直立する。側板４２ａ、４２ｂ同士は相互に平行に広がる。側板４２ａ、４２ｂ同士は、相互に平行に水平方向に広がる上板４３および底板４４で相互に結合される。こうして側板４２ａ、４２ｂ、上板４３および下板４４で直方体の収容空間が区画される。収容空間はそのまま書籍２７の収納空間に対応する。収納空間の背面は背板（図示されず）で閉じられればよい。収納空間に縦置きの書籍２７が水平方向に１列に並べられる。個々の書籍２７には前述のしおり１１が挟み込まれる。前述と同様に、背表紙から外側すなわち手前に補助薄板２１は突き出る。補助薄板２１の第２板片２１ｂは下板４４の表面から鋭角で起立する。こういった本棚２８ａは特定の大きさの書籍２７に専用に構築されればよい。収納空間の高さＨは１種類の大きさの書籍２７の高さに限りなく近づけられればよい。しおり１１および本棚２８ａは本発明に係る本棚システムを構成する。なお、しおり１１に代えて、しおり１１ａ、１１ｂ、１１ｃ、１１ｄのいずれかが書籍２７に挟み込まれてもよい。図１７に示されるように、本棚２８ａは複数段に重ね合わせられてもよい。重ね合わせにあたって、収納空間の高さＨは揃えられてもよく、例えば図１８に示されるように、収納空間の高さＨ１、Ｈ２は個別に設定されもよい。その他、高さＨ１、Ｈ２の相違に応じて本棚２８ａの奥行きＤ１、Ｄ２は個別に設定されてもよい。
【００３１】
なお、薄板本体１２、第１板片２１ａおよび第２板片２１ｂは、必ずしも１枚の薄板から形成される必要はなく、個々の部材が相互に結合されてもよい。その他、しおり１１の素材は前述のものに限定される必要はなく前述の機能を果たすいかなる素材が利用されてもよい。
【符号の説明】
【００３２】
１１  しおり（本棚システムの一構成要素）、１２  薄板本体、１３  第２直線（第１仮想直線）、１５ａ  一長辺、１６  一短辺、１７  第１直線（第３仮想直線）、２１  補助薄板、２１ａ  第１板片、２１ｂ  第２板片、２５  第３直線（第４仮想直線）、２８  本棚（本棚システムの一構成要素）、２８ａ  本棚（本棚システムの一構成要素）。
【図１】
0005420337.tif 000003
【図２】
0005420337.tif 000004
【図３】
0005420337.tif 000005
【図４】
0005420337.tif 000006
【図５】
0005420337.tif 000007
【図６】
0005420337.tif 000008
【図７】
0005420337.tif 000009
【図８】
0005420337.tif 000010
【図９】
0005420337.tif 000011
【図１０】
0005420337.tif 000012
【図１１】
0005420337.tif 000013
【図１２】
0005420337.tif 000014
【図１３】
0005420337.tif 000015
【図１４】
0005420337.tif 000016
【図１５】
0005420337.tif 000017
【図１６】
0005420337.tif 000018
【図１７】
0005420337.tif 000019
【図１８】
0005420337.tif 000020
【図１９】
0005420337.tif 000021